(57)【特許請求の範囲】
【請求項１】
液晶パネルと、前記液晶パネルの外側周辺に設けられており、前記液晶パネルに含まれる液晶を駆動するための液晶ドライバとを含み、対象機器の設定を変更するための情報を前方へ提示する液晶表示部と、
前記液晶ドライバの前方を覆うシート状部材であって、押圧された位置を示す押圧位置信号を出力する操作部と、
前記操作部から出力される前記押圧位置信号に応じて、前記液晶表示部によって提示される前記情報を変更させる情報変更部と、
前記液晶表示部に提示されている前記情報に基づいて前記対象機器を制御する機器制御部とを備え、
前記操作部は、透明であり、前記液晶ドライバの前方と前記液晶パネルの一部の前方とに少なくとも設けられ、
前記液晶表示部は、前記操作部の部分領域に対する押圧操作に割り当てられる機能を、当該部分領域の後方に位置する前記液晶パネルの部分に表示するリモコン装置。
【請求項２】
液晶パネルと、前記液晶パネルの外側周辺に設けられており、前記液晶パネルに含まれる液晶を駆動するための液晶ドライバとを含み、対象機器の設定を変更するための情報を前方へ提示する液晶表示部と、
前記液晶ドライバの前方を覆うシート状部材であって、押圧された位置を示す押圧位置信号を出力する操作部と、
前記操作部から出力される前記押圧位置信号に応じて、前記液晶表示部によって提示される前記情報を変更させる情報変更部と、
前記液晶表示部に提示されている前記情報に基づいて前記対象機器を制御する機器制御部とを備え、
前記情報変更部は、前記情報が数量を示す場合であって、前記操作部からの押圧位置信号により示される位置が連続的に変化する場合、当該位置の変化に応じて、前記液晶表示部によって提示される前記情報が示す数量を増加又は減少させるリモコン装置。
【請求項３】
前記操作部は、前記液晶パネル外に設けられており、予め割り当てられる機能に対応する部分領域を示すための固定の表示を有する
請求項２に記載のリモコン装置。
【請求項４】
前記情報変更部は、前記情報が予め定められた複数の項目を並べたリストを示す場合であって、前記操作部から取得する押圧位置信号が示す位置が選定領域内であるとき、当該選定領域に対応付けられた前記項目を選定する
請求項１から３のいずれか１項に記載のリモコン装置。
【請求項５】
液晶パネルと、前記液晶パネルの外側周辺に設けられており、前記液晶パネルに含まれる液晶を駆動するための液晶ドライバとを含み、対象機器の設定を変更するための情報を前方へ提示する液晶表示部と、
前記液晶ドライバの前方を覆うシート状部材であって、押圧された位置を示す押圧位置信号を出力する操作部と、
前記操作部から出力される前記押圧位置信号に応じて、前記液晶表示部によって提示される前記情報を変更させる情報変更部と、
前記液晶表示部に提示されている前記情報に基づいて前記対象機器を制御する機器制御部とを備え、
前記情報変更部は、前記情報が予め定められた複数の項目を並べたリストと、当該複数の項目のうち前記対象機器に設定する項目とを示す場合であって、前記操作部からの押圧位置信号により示される位置が連続的に変化するとき、当該位置の変化に応じた位置に前記リストにて配置された項目を前記設定する項目として示す情報に、前記液晶表示部によって提示される前記情報を変更させるリモコン装置。
【請求項６】
前記機器制御部は、前記情報が前記情報変更部によって変更されてから予め定められた時間変更されない場合、又は、前記操作部の決定領域が押圧された場合、前記液晶表示部に提示された前記情報が示す前記設定する項目に基づいて前記対象機器を制御する
請求項５に記載のリモコン装置。
【請求項７】
前記操作部は、前記液晶パネル外に設けられており、予め割り当てられる機能に対応する部分領域を示すための固定の表示を有する
請求項５又は６に記載のリモコン装置。
【請求項８】
液晶パネルと、前記液晶パネルの外側周辺に設けられており、前記液晶パネルに含まれる液晶を駆動するための液晶ドライバとを含み、対象機器の設定を変更するための情報を前方へ提示する液晶表示部と、
前記液晶ドライバの前方を覆うシート状部材であって、押圧された位置を示す押圧位置信号を出力する操作部と、
前記操作部から出力される前記押圧位置信号に応じて、前記液晶表示部によって提示される前記情報を変更させる情報変更部と、
前記液晶表示部に提示されている前記情報に基づいて前記対象機器を制御する機器制御部とを備え、
前記情報変更部は、前記情報が予め定められた複数の項目を並べたリストの一部を示す場合であって、前記操作部からの押圧位置信号により示される位置が連続的に変化するとき、当該位置の変化に応じて、前記液晶表示部に提示される前記リストの部分を変更するリモコン装置。
【請求項９】
前記情報変更部は、前記操作部から取得する押圧位置信号が示す位置が選定領域内であるとき、当該選定領域に対応付けられた前記項目を選定する
請求項８に記載のリモコン装置。
【請求項１０】
前記操作部は、前記液晶パネル外に設けられており、予め割り当てられる機能に対応する部分領域を示すための固定の表示を有する
請求項８又は９に記載のリモコン装置。
【請求項１１】
前記操作部は、前方から見て長手方向を有する帯状である
請求項１から１０のいずれか１項に記載のリモコン装置。
【請求項１２】
前記情報変更部は、前記情報が数量を示す場合であって、前記操作部からの押圧位置信号により示される位置が前記操作部の増加領域内であるとき、前記液晶表示部によって提示される前記情報が示す数量を増加させ、前記操作部からの押圧位置信号により示される位置が前記操作部の減少領域内であるとき、前記液晶表示部によって提示される前記情報が示す数量を減少させる
請求項１から１１のいずれか１項に記載のリモコン装置。
【請求項１３】
前記機器制御部は、前記情報が前記情報変更部によって変更されてから予め定められた時間変更されない場合、前記操作部の決定領域が押圧された場合、又は、前記増加領域又は前記減少領域が予め定められた時間以上押圧された場合、前記液晶表示部に提示された前記情報が示す数量を前記対象機器に設定する
請求項１２に記載のリモコン装置。
【発明の詳細な説明】
【技術分野】
【０００１】
本発明は、液晶表示部を有するリモコン装置に関する。
【背景技術】
【０００２】
リモコン装置では、その制御の対象となる機器（対象機器）の多機能化などに伴って、高度な機能が要求されている。例えば対象機器の多くの機能に応じて種々の情報を提示するため、液晶表示部を採用するリモコン装置がある（例えば、特許文献１参照）。このような液晶表示部は、液晶を含む液晶パネルと、その液晶を駆動するための液晶ドライバなどから構成される。液晶パネルは、液晶ドライバによって液晶を駆動して光の遮断と透過とを切り替え、それによって、各種情報を前方へ提示する。液晶ドライバは、液晶パネルと配線で接続されるため、その液晶パネルの近傍に配設されることが望ましく、液晶パネルの外側の周辺に配設されることが多い。液晶ドライバの前方部分は、例えば、デザイン上の観点から樹脂カバーなどで覆われている。
【先行技術文献】
【特許文献】
【０００３】
【特許文献１】特開２００９−７１７１２号公報
【発明の概要】
【発明が解決しようとする課題】
【０００４】
対象機器が多機能になれば、リモコン装置が実行する処理、ユーザ操作によって設定される情報などについても、種類・量ともに多くなる。そのため、リモコン装置が大きくなることがある。リモコン装置には、上述のような高機能化とともに、小型化も望まれている。
【０００５】
本発明は、上述の事情に鑑みてなされたもので、液晶表示部を有する小型のリモコン装置を提供することを目的とする。
【課題を解決するための手段】
【０００６】
上記目的を達成するため、本発明の第１の観点に係るリモコン装置は、
液晶パネルと、前記液晶パネルの外側周辺に設けられており、前記液晶パネルに含まれる液晶を駆動するための液晶ドライバとを含み、対象機器の設定を変更するための情報を前方へ提示する液晶表示部と、
前記液晶ドライバの前方を覆うシート状部材であって、押圧された位置を示す押圧位置信号を出力する操作部と、
前記操作部から出力される前記押圧位置信号に応じて、前記液晶表示部によって提示される前記情報を変更させる情報変更部と、
前記液晶表示部に提示されている前記情報に基づいて前記対象機器を制御する機器制御部とを備え、
前記操作部は、透明であり、前記液晶ドライバの前方と前記液晶パネルの一部の前方とに少なくとも設けられ、
前記液晶表示部は、前記操作部の部分領域に対する押圧操作に割り当てられる機能を、当該部分領域の後方に位置する前記液晶パネルの部分に表示する。
本発明の第２の観点に係るリモコン装置は、
液晶パネルと、前記液晶パネルの外側周辺に設けられており、前記液晶パネルに含まれる液晶を駆動するための液晶ドライバとを含み、対象機器の設定を変更するための情報を前方へ提示する液晶表示部と、
前記液晶ドライバの前方を覆うシート状部材であって、押圧された位置を示す押圧位置信号を出力する操作部と、
前記操作部から出力される前記押圧位置信号に応じて、前記液晶表示部によって提示される前記情報を変更させる情報変更部と、
前記液晶表示部に提示されている前記情報に基づいて前記対象機器を制御する機器制御部とを備え、
前記情報変更部は、前記情報が数量を示す場合であって、前記操作部からの押圧位置信号により示される位置が連続的に変化する場合、当該位置の変化に応じて、前記液晶表示部によって提示される前記情報が示す数量を増加又は減少させる。
本発明の第３の観点に係るリモコン装置は、
液晶パネルと、前記液晶パネルの外側周辺に設けられており、前記液晶パネルに含まれる液晶を駆動するための液晶ドライバとを含み、対象機器の設定を変更するための情報を前方へ提示する液晶表示部と、
前記液晶ドライバの前方を覆うシート状部材であって、押圧された位置を示す押圧位置信号を出力する操作部と、
前記操作部から出力される前記押圧位置信号に応じて、前記液晶表示部によって提示される前記情報を変更させる情報変更部と、
前記液晶表示部に提示されている前記情報に基づいて前記対象機器を制御する機器制御部とを備え、
前記情報変更部は、前記情報が予め定められた複数の項目を並べたリストと、当該複数の項目のうち前記対象機器に設定する項目とを示す場合であって、前記操作部からの押圧位置信号により示される位置が連続的に変化するとき、当該位置の変化に応じた位置に前記リストにて配置された項目を前記設定する項目として示す情報に、前記液晶表示部によって提示される前記情報を変更させる。
本発明の第４の観点に係るリモコン装置は、
液晶パネルと、前記液晶パネルの外側周辺に設けられており、前記液晶パネルに含まれる液晶を駆動するための液晶ドライバとを含み、対象機器の設定を変更するための情報を前方へ提示する液晶表示部と、
前記液晶ドライバの前方を覆うシート状部材であって、押圧された位置を示す押圧位置信号を出力する操作部と、
前記操作部から出力される前記押圧位置信号に応じて、前記液晶表示部によって提示される前記情報を変更させる情報変更部と、
前記液晶表示部に提示されている前記情報に基づいて前記対象機器を制御する機器制御部とを備え、
前記情報変更部は、前記情報が予め定められた複数の項目を並べたリストの一部を示す場合であって、前記操作部からの押圧位置信号により示される位置が連続的に変化するとき、当該位置の変化に応じて、前記液晶表示部に提示される前記リストの部分を変更する。
【発明の効果】
【０００７】
本発明によれば、操作部を構成するシート状部材が液晶ドライバの前方を覆って配設される。ユーザへの情報の提示又はユーザの操作のために従来使用されていない液晶ドライバの前方部分を、ユーザの操作のために使用することができる。これにより、ユーザが操作するために従来設けられていたボタンに代えて液晶ドライバの前方部分を使用することができるので、従来設けられていたボタンの少なくとも一部を省くとともにそれを設けるためのスペースも省くことができる。その結果、液晶表示部を有するリモコン装置の小型化が可能になる。
【図面の簡単な説明】
【０００８】
【図１】本発明の実施の形態１に係るリモコン装置の物理的な構成を示す図である。
【図２】実施の形態１に係るリモコン装置の機能的な構成を示す図である。
【図３】実施の形態１に係る設定変更処理の流れを示すフローチャートである。
【図４】実施の形態１に係るリモコン装置が提示する運転モード選択画面の一例を示す図である。
【図５】実施の形態１に係る指示設定処理の流れを示すフローチャートである。
【図６】実施の形態１に係るリモコン装置が提示する数量設定画面の一例を示す図である。
【図７】変形例２に係るリモコン装置が提示する数量設定画面の数量をスライド操作によって変更する例を示す図である。
【図８】変形例３に係るリモコン装置が提示する運転モード選択画面にて、空気調和機に設定する運転モードをスライド操作によって変更する例を示す図である。
【図９】変形例４に係るリモコン装置が運転モード選択画面を提示する際に、操作部に設定される選定領域の例を示す図である。
【図１０】変形例５に係るリモコン装置が提示する運転モード選択画面にて、複数の画面にまたがるリストから、空気調和機に設定する運転モードを選択する一例を示す図である。
【図１１】変形例６に係るリモコン装置が提示する運転モード選択画面にて、複数の画面にまたがるリストから、空気調和機に設定する運転モードを選択する別の例を示す図である。
【図１２】本発明の実施の形態２に係るリモコン装置の物理的な構成を示す図である。
【図１３】変形例７に係るリモコン装置が提示する運転モード選択画面にて、複数の画面にまたがるリストから、空気調和機に設定する運転モードを選択する他の例を示す図である。
【発明を実施するための形態】
【０００９】
以下、本発明の実施の形態について、図面を参照しつつ説明する。全図を通じて同一の要素には同一の符号を付す。
【００１０】
実施の形態１．
本発明の実施の形態１に係るリモコン装置１００は、図１に示すように、対象機器としての空気調和機１０１と無線で通信することによって、空気調和機１０１を制御する。同図では、リモコン装置１００の物理的な構成を分かり易くするため、空気調和機１０１に比べて大きく表しているが、リモコン装置１００の大きさは、典型的には片手で持てる程度の大きさである。
【００１１】
なお、対象機器は、空気調和機１０１に限らず、照明装置、給湯装置などの電機機器、設備機器などでよい。また、対象機器とリモコン装置１００とは、無線に限らず、有線で通信してもよい。
【００１２】
リモコン装置１００は、前方から見た場合に、同図に示すように、複数の開口が設けられたカバー１０２と、カバー１０２の開口を介して前方へ情報を提示する液晶パネル１０３と、液晶パネル１０３の右側に設けられる液晶ドライバ１０４と、液晶ドライバ１０４の前方を覆っており、液晶パネル１０３と共通の開口を介して前方へ露出するシート状部材１０５と、液晶パネル１０３及びシート状部材１０５の下方に、カバー１０２の開口を介して設けられる入切ボタン１０６とを備える。リモコン装置１００は、さらに、図示しない、ＣＰＵ（Central Processing Unit）、ＲＡＭ（Random Access Memory）、ＲＯＭ（Read Only Memory）、フラッシュメモリ、無線（例えば赤外線）信号の発信器、電源としての電池などを備え、これらは、例えば樹脂製のカバー１０２の内部に収容されている。
【００１３】
詳細には、液晶パネル１０３は、例えばフルドット液晶パネルであって、液晶（液晶層）、偏光板、透明電極などから構成される。液晶パネル１０３は、白黒表示、カラー表示のいずれであってもよく、適宜バックライトが設けられてもよい。本実施の形態に係る液晶パネル１０３は、前方から見て、矩形状の表示領域を有する矩形状の部材である。
【００１４】
液晶ドライバ１０４は、液晶パネル１０３の液晶を駆動するための回路であって、液晶パネル１０３と配線により接続される。液晶ドライバ１０４は、配線を短くするために、配線を液晶パネル１０３の外側周辺に設けられる。本実施の形態では、液晶ドライバ１０４は、同図に示すように、液晶パネル１０３の右側近傍に配置される。
【００１５】
シート状部材１０５は、例えば抵抗膜式のタッチパネル、静電容量式のタッチパネル、感圧センサのスイッチなどの押圧位置検出機能を備えるシート状の部材（押圧位置検出シート）などから構成される。シート状部材１０５は、同図に示すように、前方から見て、液晶ドライバ１０４の前方を覆う縦長帯状であり、本実施の形態では液晶パネル１０３の外側のみに設けられている。なお、シート状部材１０５は、例えば、押圧位置検出シートの損傷を防止するための保護シートなどをさらに含んでもよい。
【００１６】
シート状部材１０５は、予め機能が割り当てられた部分領域に対応付けた固定の表示１０７〜１１３を有する。同図に示す例では、シート状部材１０５は、上向き表示１０７、決定表示１０８、対象変更表示１０９、下向き表示１１０、メイン表示１１１、モード表示１１２及び選択表示１１３を有している。シート状部材１０５は、各表示１０７〜１１３のそれぞれに対応する部分領域（上向き領域、決定領域、対象変更領域、下向き領域、メイン領域、モード領域及び選択領域）に特定の機能が割り当てられている。これら各領域の機能の詳細は後述する。
【００１７】
ここで、表示１０７〜１１３と予め機能が割り当てられた部分領域とが対応付けられることは、各表示１０７〜１１３と機能が割り当てられた領域とが必ず同一であることを意味するのではない。ユーザが各部分領域を認識できる態様で表示１０７〜１１３の各々が設けられていることを意味する。すなわち、例えば、表示と部分領域とで広さが異なっていてもよい。また、例えば上向き表示１０７と下向き表示１１０とはいずれも三角形であるが、上向き領域と下向き領域とはそれぞれの表示１０７，１１０を含む矩形の部分領域であってもよい。
【００１８】
シート状部材１０５の各表示１０７〜１１３は、例えばシート状部材１０５を構成するシートに印刷すること、シールを貼り付けることなどによって実現される。
【００１９】
詳細には例えば、各表示１０７〜１１３は、押圧位置検出シート自体に印刷、貼り付けなどによって実現されてもよい。
【００２０】
また例えば、各表示１０７〜１１３は、押圧位置検出シートとは別の領域表示用シートによって実現されてもよい。この場合、シート状部材１０５は、押圧位置検出シートと、領域表示用シートとを含む複数の部材で構成されることになる。
【００２１】
領域表示用シートは、印刷、シールの貼り付けなどによって表示１０７〜１１３を有するシートである。領域表示シートは、押圧位置検出シートの前方に、各表示１０７〜１１３と各部分領域とを対応付けるように配設される。押圧位置検出シートが透明である場合、領域表示用シートは、押圧位置検出シートの後方に、各表示１０７〜１１３と各部分領域とを対応付けるように配設されてもよい。
【００２２】
入切ボタン１０６は、ユーザが押下することで、空気調和機１０１の運転（入）と停止（切）とが切り替えられるボタンである。
【００２３】
リモコン装置１００は、図２に示すように、機能的に、空気調和機１０１の設定を変更するための情報を前方へ提示する液晶表示部１１４と、ユーザによって押圧された位置を示す押圧位置信号を出力する操作部１１５と、リモコン装置１００全体の動作を制御する制御部１１６とを備える。
【００２４】
液晶表示部１１４の機能は、液晶パネル１０３、液晶ドライバ１０４などによって実現される。例えば図１では、液晶表示部１１４がメイン画面を提示している状態を示す。同図に例示するメイン画面では、空気調和機１０１の設定を変更するための情報として、空気調和機１０１が運転している場合の運転モード（同図では、冷房運転）と、現在の室温及び湿度と、冷房運転・除湿運転・暖房運転のいずれかに運転モードを切り替えるための簡易選択用の運転モードとが表示されている。
【００２５】
操作部１１５の機能は、上述の押圧位置検出シートと、適宜設けられる領域表示用シートなどによって実現される。操作部１１５は、例えば、押圧位置検出シートに設定された仮想的な座標系で表される位置で、ユーザが押圧した位置を検出し、その位置を示す押圧位置信号を制御部１１６へ出力する。
【００２６】
制御部１１６は、例えば、液晶表示部１１４に提示されている画面、それを構成する情報の位置及び内容、各種閾値、空気調和機１０１の予め定められた制御方法などを示すデータを保持している。制御部１１６は、操作部１１５からの押圧位置信号、自身が保持しているデータなどを参照することによって、空気調和機１０１を制御する。
【００２７】
ここで、ユーザが押圧する位置は、ユーザが意図しなくても、押圧の開始から終了までの間に僅かに移動することがある。そのため、制御部１１６は、押圧を開始した位置、押圧を終了した位置、押圧の開始位置から終了位置までのすべての位置など、適宜定められたものに基づいて押圧された領域を判定する。そして、制御部１１６は、押圧された領域に応じて、空気調和機１０１に設定される情報とともに液晶表示部１１４によって提示される情報を変更し、又は、空気調和機１０１を制御する。
【００２８】
詳細には、制御部は、図２に示すように、情報変更部１１７と、機器制御部１１８とを備える。
【００２９】
情報変更部１１７は、液晶表示部１１４に提示されている画面、それを構成する情報の位置及び内容などを示す自身が保持するデータ、操作部１１５からの押圧位置信号に応じて、液晶表示部１１４によって提示される情報を変更する。
【００３０】
機器制御部１１８は、予め定められた状態で決定領域が押圧された場合に、液晶表示部１１４に提示されている情報に基づいて、空気調和機１０１を制御する。
【００３１】
例えば、決定領域が押圧された際に設定温度が提示されているとする。この場合、機器制御部１１８は、無線通信によって、その設定温度を示す情報を空気調和機１０１へ送信する。
【００３２】
また例えば、決定領域が押圧された際に自動的に運転する運転モードを選択したことが提示されているとする。この場合、その選択された運転モードについて予め定められた設定温度、風量などを示す情報を空気調和機１０１へ送信する。
【００３３】
これまで、本実施の形態に係るリモコン装置１００の構成について説明した。ここから、リモコン装置１００の動作について説明する。
【００３４】
リモコン装置１００は、例えばメイン画面が提示されている場合に、空気調和機１０１の設定を変更するための設定変更処理（図３参照）を実行する。
【００３５】
情報変更部１１７は、操作部１１５からの押圧位置信号を取得すると、その押圧位置信号が示す位置に基づいて、モード領域が押圧されたか否かを判定する（ステップＳ１０１）。
【００３６】
押圧位置信号が示す位置がモード領域内でない場合に、モード領域が押圧されていないと判定する（ステップＳ１０１；Ｎｏ）。情報変更部１１７は、さらに、ステップＳ１０１で取得した押圧位置信号が示す位置に基づいて、簡易選択用の運転モードから選定されたか否かを判定する（ステップＳ１０２）。
【００３７】
詳細には、情報変更部１１７は、選択領域が押圧されると、簡易選択用の運転モードとして表示されている「冷房モード」「除湿モード」「暖房モード」から選択中の運転モードを順次変更する。そして、決定領域が押圧された場合、情報変更部１１７は、空気調和機１０１に設定する運転モードとして選択中の運転モードを決定し、簡易選択用の運転モードから選定されたと判定する（ステップＳ１０２；Ｙｅｓ）。決定領域が押圧されない場合、情報変更部１１７は、簡易選択用の運転モードから選定されていないと判定する（ステップＳ１０２；Ｎｏ）。
【００３８】
ここで、情報変更部１１７は、押圧位置信号が示す位置が選択領域内である場合に選択領域が押圧されたと判定し、押圧位置信号が示す位置が選択領域内でない場合に選択領域が押圧されていないと判定する。情報変更部１１７は、押圧位置信号が示す位置が決定領域内である場合に決定領域が押圧されたと判定し、押圧位置信号が示す位置が決定領域内でない場合に決定領域が押圧されていないと判定する。
【００３９】
また、選択中の運転モードは、点滅、カーソルなどによって表示される。例えば、「冷房モード」が選択中である場合、「冷房モード」「除湿モード」「暖房モード」のうち「冷房モード」のみが点滅する。選択領域が押圧されると、次に、「除湿モード」のみが点滅する。このとき、運転モードは選定中であるので、情報変更部１１７は、簡易選択用の運転モードから選定されていないと判定する（ステップＳ１０２；Ｎｏ）。その後、決定領域が押圧されると、情報変更部１１７は、空気調和機１０１に設定する運転モードが、「除湿モード」であると決定する。このとき、情報変更部１１７は、簡易選択用の運転モードから選定されたと判定する（ステップＳ１０２；Ｙｅｓ）。
【００４０】
なお、選択領域が押圧されると、選択中の運転モードは、「暖房モード」「除湿モード」「冷房モード」の順など、予め定められる順で変更されるとよい。
【００４１】
押圧位置信号が示す位置がモード領域内である場合、情報変更部１１７は、モード領域が押圧されたと判定する（ステップＳ１０１；Ｙｅｓ）。情報変更部１１７は、運転モード選択画面を液晶表示部１１４に提示させる（ステップＳ１０３）。
【００４２】
運転モード選択画面は、図４に示すように、空気調和機１０１に設定可能な運転モードが項目として並べられたリストと、空気調和機１０１に設定する運転モードとを示す。リストは、「冷房モード」「暖房モード」「除湿モード」「おやすみモード」を含む。また、「設定する運転モード」は、ユーザが決定領域を押圧することで決定する指示を与えると、リモコン装置１００が空気調和機１０１に設定する運転モードのことであって、同図の例では、枠囲みで示されている。すなわち、同図の例で「設定する運転モード」は、「冷房モード」である。
【００４３】
情報変更部１１７は、操作部１１５からの押圧位置信号を取得すると、その押圧位置信号が示す位置に基づいて、運転モード選択画面に示される「設定する運転モード」が選定されたか否かを判定する（ステップＳ１０４）。
【００４４】
詳細には、情報変更部１１７は、上向き領域又は下向き領域が適宜押圧された後に、決定領域が押圧されたか否かによって、「設定する運転モード」が選定されたか否かを判定する。
【００４５】
例えば、提示中の運転モード選択画面が示す「設定する運転モード」が「暖房モード」であるときに、上向き領域（第１領域）内の位置を示す押圧位置信号を取得した（上向き領域が押圧された）とする。この場合、リストにて「暖房モード」の上側（第１方向側）に隣接して配置されている項目は「冷房モード」である。そのため、情報変更部１１７は、「冷房モード」を「設定する運転モード」として示す運転モード選択画面に、液晶表示部１１４によって提示される運転モード選択画面を変更させる。これによって、図４に示す運転モード選択画面が提示される。
【００４６】
また例えば、提示中の運転モード選択画面が示す「設定する運転モード」が「冷房モード」であるときに（図４参照）、下向き領域（第２領域）内の位置を示す押圧位置信号を取得した（下向き領域が押圧された）とする。この場合、リストにて「冷房モード」の下側（第２方向側）に隣接して配置されている項目は「暖房モード」である。そのため、情報変更部１１７は、「暖房モード」を「設定する運転モード」として示す運転モード選択画面に、液晶表示部１１４によって提示される運転モード選択画面を変更させる。
【００４７】
このように、情報変更部１１７は、上向き領域又は下向き領域が押圧されるたびに、リストにおいて「設定する運転モード」を１つ上側又は下側に移動させた運転モード選択画面を提示させる。
【００４８】
その後、操作部１１５から取得する押圧位置信号が示す位置が決定領域内である（決定領域が押圧された）場合、情報変更部１１７は、提示中の運転モード選択画面が示す「設定する運転モード」が選定されたと判定する（ステップＳ１０４；Ｙｅｓ）。
【００４９】
これに対して、操作部１１５から押圧位置信号を取得し、その押圧位置信号が示す位置が、上向き領域と下向き領域と決定領域とのいずれでもない場合、情報変更部１１７は、「設定する運転モード」が選定されていないと判定する（ステップＳ１０４；Ｎｏ）。
【００５０】
「設定する運転モード」が選定されていないと判定すると（ステップＳ１０４；Ｎｏ）、情報変更部１１７は、ステップＳ１０４にて取得した押圧位置信号に基づいて、メイン領域が押圧されたか否かを判定する（ステップＳ１０５）。
【００５１】
押圧位置信号が示す位置がメイン領域内でない場合、メイン領域が押圧されていないと判定し（ステップＳ１０５；Ｎｏ）、情報変更部１１７は、ステップＳ１０４を実行する。押圧位置信号が示す位置がメイン領域内である場合、メイン領域が押圧されたと判定し（ステップＳ１０５；Ｙｅｓ）、情報変更部１１７は、メイン画面（図１参照）を液晶表示部１１４に提示させる（ステップＳ１０９）。
【００５２】
「設定する運転モード」が選定されたと判定した場合（ステップＳ１０４；Ｙｅｓ）、情報変更部１１７は、数量指示が必要であるか否かを判定する（ステップＳ１０６）。
【００５３】
詳細には、選定された運転モードが、数量指示が必要なものであるか否かが判定される。数量指示が必要であるか否かは、運転モードごとに予め定められており、そのデータは例えば情報変更部１１７が保持している。本実施の形態では、「冷房モード」「暖房モード」「除湿モード」は、温度と風量を設定する必要があるので、数量指示が必要な運転モードとして規定される。「おやすみモード」は、温度と風量が外気温、室温などに応じて自動的に設定されるので、数量指示が必要でない運転モードとして規定される。
【００５４】
数量指示が必要でないと判定した場合（ステップＳ１０６；Ｎｏ）、機器制御部１１８は、選定された運転モードに応じて、必要なデータを適宜取得するとともに、空気調和機１０１に設定する冷房・暖房・除湿の運転モード、温度、風量などを自動的に決定する。機器制御部１１８は、決定した運転モード、温度、風量などを含むデータを空気調和機１０１へ送信する。これによって、機器制御部１１８は、決定した運転モード及び数量（温度、風量など）を空気調和機１０１に自動的に設定する（ステップＳ１０７）。機器制御部１１８により運転モード及び数量が設定されると、情報変更部１１７は、メイン画面（図１参照）を液晶表示部１１４に提示させる（ステップＳ１０９）。
【００５５】
簡易選択用の運転モードから選定されたと判定した場合（ステップＳ１０２；Ｙｅｓ）、又は、数量指示が必要であると判定した場合（ステップＳ１０６；Ｙｅｓ）、制御部１１６は、詳細後述する指示設定処理（ステップＳ１０８）を実行する。これによって、ユーザの指示に応じた温度、湿度などを含む数量が空気調和機１０１に設定される。情報変更部１１７は、メイン画面（図１参照）を液晶表示部１１４に提示させ（ステップＳ１０９）、設定変更処理を終了する。
【００５６】
図５に示す指示設定処理は、ユーザの指示に従って数量を空気調和機１０１に設定するための処理である。例えば、空気調和機１０１に設定される運転モードが「冷房モード」「除湿モード」「暖房モード」のいずれかである場合に、設定温度と風量とが空気調和機１０１に設定される。
【００５７】
情報変更部１１７は、数量の設定をするための数量設定画面を液晶表示部１１４に提示させる（ステップＳ１１１）。図６には、冷房モードにて、設定温度と風量とを設定するための数量設定画面の例を示す。同図に示す例では、設定温度と風量とのうち、設定の対象となる項目を表すために、設定温度の「２７」が点滅している。なお、変更の対象となる項目は、点滅に限らず、カーソルなどによって表されてもよい。
【００５８】
情報変更部１１７は、操作部１１５から押圧位置信号を取得すると、その押圧位置信号に基づいて、対象変更領域が押圧されたか否かを判定する（ステップＳ１１２）。
【００５９】
詳細には、押圧位置信号によって示される位置が対象変更領域内である場合、情報変更部１１７は、対象変更領域が押圧されたと判定する（ステップＳ１１２；Ｙｅｓ）。押圧位置信号によって示される位置が対象変更領域内でない場合、情報変更部１１７は、対象変更領域が押圧されていないと判定する（ステップＳ１１２；Ｎｏ）。
【００６０】
対象変更領域が押圧されたと判定した場合（ステップＳ１１２；Ｙｅｓ）、情報変更部１１７は、設定する対象となる項目を変更し、それを示す数量設定画面を液晶表示部１１４に提示させる（ステップＳ１１３）。
【００６１】
例えば、提示中の数量設定画面が図６に示すものであるときに、対象変更領域が押圧されたとする。情報変更部１１７は、設定する対象となる項目を設定温度から風量に変更する。これとともに、情報変更部１１７は、設定温度の「２７」が点滅せず、かつ、風量の「弱」が点滅する数量設定画面を提示させる。
【００６２】
ステップＳ１１３を実行した後、又は、対象変更領域が押圧されていないと判定した場合（ステップＳ１１２；Ｎｏ）、情報変更部１１７は、ステップＳ１１２にて取得した押圧位置信号に基づいて、上向き領域が押圧されたか否かを判定する（ステップＳ１１４）。
【００６３】
詳細には、押圧位置信号によって示される位置が上向き領域（増加領域）内である場合、情報変更部１１７は、上向き領域（増加領域）が押圧されたと判定する（ステップＳ１１４；Ｙｅｓ）。押圧位置信号によって示される位置が上向き領域（増加領域）内でない場合、情報変更部１１７は、上向き領域（増加領域）が押圧されていないと判定する（ステップＳ１１４；Ｎｏ）。
【００６４】
上向き領域が押圧されたと判定した場合（ステップＳ１１４；Ｙｅｓ）、情報変更部１１７は、設定する対象となる項目の内容を１刻み増加させる（ステップＳ１１５）。
【００６５】
例えば、設定する対象となる項目が設定温度である場合、情報変更部１１７は、設定温度を１℃高くする。すなわち、現在の設定温度が「２７」℃である場合、情報変更部１１７は、「２８」℃に変更する。
【００６６】
また例えば、設定する対象となる項目が風量である場合、情報変更部１１７は、風量を１刻み分強くする。すなわち、風量が「弱」「中」「強」の３段階で設定可能で、現在の設定が「弱」である場合、情報変更部１１７は、「中」に変更する。
【００６７】
上向き領域が押圧されていないと判定した場合（ステップＳ１１４；Ｎｏ）、情報変更部１１７は、ステップＳ１１２にて取得した押圧位置信号に基づいて、下向き領域が押圧されたか否かを判定する（ステップＳ１１６）。
【００６８】
詳細には、押圧位置信号によって示される位置が下向き領域（減少領域）内である場合、情報変更部１１７は、下向き領域（減少領域）が押圧されたと判定する（ステップＳ１１６；Ｙｅｓ）。押圧位置信号によって示される位置が下向き領域（減少領域）内でない場合、情報変更部１１７は、下向き領域（減少領域）が押圧されていないと判定する（ステップＳ１１６；Ｎｏ）。
【００６９】
下向き領域が押圧されたと判定した場合（ステップＳ１１６；Ｙｅｓ）、情報変更部１１７は、設定する対象となる項目の内容を１刻み減少させる（ステップＳ１１７）。
【００７０】
例えば、設定する対象となる項目が設定温度である場合、情報変更部１１７は、設定温度を１℃低くする。すなわち、現在の設定温度が「２７」℃である場合、情報変更部１１７は、「２６」℃に変更する。
【００７１】
また例えば、設定する対象となる項目が風量である場合、情報変更部１１７は、風量を１刻み分弱くする。すなわち、風量が「弱」「中」「強」の３段階で設定可能で、現在の設定が「強」である場合、情報変更部１１７は、「中」に変更する。
【００７２】
ステップＳ１１５が実行された後、ステップＳ１１７が実行された後、又は、下向き領域が押圧されていないと判定した場合（ステップＳ１１６；Ｎｏ）、情報変更部１１７は、ステップＳ１１２にて取得した押圧位置信号に基づいて、決定領域が押圧されたか否かを判定する（ステップＳ１１８）。
【００７３】
詳細には、押圧位置信号によって示される位置が決定領域内である場合、情報変更部１１７は、決定領域が押圧されたと判定する（ステップＳ１１８；Ｙｅｓ）。押圧位置信号によって示される位置が決定領域内でない場合、情報変更部１１７は、決定領域が押圧されていないと判定する（ステップＳ１１８；Ｎｏ）。
【００７４】
決定領域が押圧されていないと判定した場合（ステップＳ１１８；Ｎｏ）、情報変更部１１７は、ステップＳ１１２にて取得した押圧位置信号に基づいて、メイン領域が押圧されたか否かを判定する（ステップＳ１１９）。
【００７５】
詳細には、押圧位置信号によって示される位置がメイン領域内である場合、情報変更部１１７は、メイン領域が押圧されたと判定する（ステップＳ１１９；Ｙｅｓ）。押圧位置信号によって示される位置がメイン領域内でない場合、情報変更部１１７は、メイン領域が押圧されていないと判定する（ステップＳ１１９；Ｎｏ）。
【００７６】
メイン領域が押圧されたと判定した場合（ステップＳ１１９；Ｙｅｓ）、情報変更部１１７は、設定変更処理へ戻る。メイン領域が押圧されていないと判定した場合（ステップＳ１１９；Ｎｏ）、情報変更部１１７は、ステップＳ１１２を実行する。
【００７７】
決定領域が押圧されたと判定した場合（ステップＳ１１８；Ｙｅｓ）、情報変更部１１７は、ステップＳ１１５とステップＳ１１７との一方又は両方で変更した後の設定温度及び風量を示すデータを空気調和機１０１へ送信する。これによって、液晶表示部１１４によって提示される数量設定画面が示す数量を空気調和機１０１に設定する（ステップＳ１２０）。
【００７８】
本実施の形態によれば、シート状部材１０５が液晶ドライバの前方を覆って配設される。従来、液晶ドライバの前方部分は、ユーザへの情報の提示又はユーザの操作のために使用されていない。本実施の形態では、この部分をユーザの操作のために使用することができる。これにより、ユーザが操作するために従来設けられていたボタンに代えて液晶ドライバの前方部分を使用することができるので、従来設けられていたボタンの少なくとも一部を省くとともにそれを設けるためのスペースも省くことができる。その結果、液晶表示部１１４を有するリモコン装置１００の小型化が可能になる。また、部品点数が減少するので、リモコン装置１００を製造するためのコストの低減を図ることが可能になる。
【００７９】
操作部１１５は、予め機能が割り当てられた部分領域に対応付けた固定の表示１０７〜１１３を有する。これによって、ユーザは所望の操作のために、操作部１１５のどのよう域を操作するとよいか視覚で容易に認識できる。したがって、操作性を向上させることが可能になる。
【００８０】
一般的なタッチパネルでは液晶パネル１０３を覆うように透明な押圧位置検出シートが設けられる。透明な押圧位置検出シートはＩＴＯ（酸化インジウムスズ）を材料として作られることが多く、ＩＴＯは一般的に高価である。本実施の形態に係るシート状部材１０５は、必ずしも透明である必要がない。また、シート状部材１０５を構成する押圧位置検出シートが透明であっても、シート状部材１０５は液晶パネル１０３の全体を覆う必要はなく、液晶パネル１０３よりも狭い領域に設けられるだけでよい。したがって、コストを低減することが可能になる。
【００８１】
これまで、本発明の実施の形態１について説明した。本発明は、実施の形態１を以下のように変形した形態も含む。
【００８２】
（変形例１）
実施の形態１では、操作部１１５の決定領域が押圧されると、動作モード又は数量が決定されて、空気調和機１０１に設定されることとした（ステップＳ１０２，ステップＳ１０４，ステップＳ１１８参照）。
【００８３】
しかし、例えば、動作モード又は数量が変更されてから予め定められた時間変更されない場合に、最後の変更により選択された動作モード又は数量を設定するものとして決定し、空気調和機１０１に設定されてもよい。
【００８４】
また例えば、動作モード又は数量を変更するために押圧される領域（上向き領域、下向き領域、選択領域）が、予め定められた時間以上押圧（長押し）された場合に、選択されている動作モード又は数量を設定するものとして決定し、空気調和機１０１に設定されてもよい。
【００８５】
本変形例によれば、実施の形態１では決定領域によって実現された機能が、変更しないこと又は長押しされたことによって実現される。操作部１１５は狭いため、多くの領域を設けると操作性が悪くなるおそれがあるが、本変形例によれば決定領域が不要になるので、操作部１１５に設けられた各領域の押圧が容易になり、操作性を向上させることが可能になる。
【００８６】
（変形例２）
実施の形態１では、指示設定処理（ステップＳ１０８）において、上向き領域又は下向き領域が押圧されることによって、数量設定画面が示す数量を増加又は減少させることとした。しかし、これらの押圧とともに、又はこれらの押圧に代えて、指示設定処理（ステップＳ１０８）にて数量を変更するために、操作部１１５のスライド操作が採用されてもよい。
【００８７】
ここで、スライド操作とは、予め定められた距離以上操作部１１５をなぞること、すなわち、操作部１１５を押圧したまま押圧位置を予め定められた距離以上連続的に移動させることをいう。実施の形態１で説明したように、シート状部材１０５が縦長帯状であるので、スライド操作を容易にすることができる。スライド操作を採用する場合、押圧操作とスライド操作とは、例えば、押圧を開始した位置と終了した位置との距離が閾値を超えるか否かにより判定されるとよい。この場合、閾値を超えない場合は押圧操作と判定され、閾値を超える場合はスライド操作と判定される。
【００８８】
図７には、スライド操作によって数量設定画面が示す数量を変更する例を示す。同図の操作部１１５に示す矢印１１９は、スライド操作がなされた軌跡と方向を示す。下方向になぞられているので、例えば変更の対象である項目の数量を減少させるとよい。逆に、上方向になぞられた場合には、変更の対象である項目の数量を増加させるとよい。変更する量は、例えばスライド操作がなされた距離、速さなどに応じて決定されるとよい。この距離は、軌跡の距離であってもよく、軌跡の上下方向の長さであってもよい。
【００８９】
なお、下方向になぞられると数量を増加させ、上方向になぞられると数量を減少させてもよい。
【００９０】
本変形例によれば、操作部１１５の任意の場所から押圧を開始して、その移動させた距離に応じて数量を変更することができる。特に設定温度を２℃以上変更したい場合など数量を複数の刻みだけ変更した場合に、変更される数量を見ながら、容易に変更することが可能になる。
【００９１】
（変形例３）
変形例２では、スライド操作によって数量を変更する例を説明したが、スライド操作は、例えばステップＳ１０４にてリストから項目を選択するために採用されてもよい。
【００９２】
この場合、変形例２と同様に、操作部１１５にスライド操作がなされた方向、距離などに応じて、運転モード選択画面が示す「設定する運転モード」が変更されるとよい。すなわち、下方へなぞられた場合には、「設定する運転モード」は下方の運転モードに変更され、上方へなぞられた場合には、「設定する運転モード」は下方の運転モードに変更されるとよい。または、この逆であってもよい。そして、変更される量は、例えばスライド操作がなされた距離、速さなどに応じて決定されるとよい。この距離は、軌跡の距離であってもよく、軌跡の上下方向の長さであってもよい。
【００９３】
図８に、運転モード選択画面が示す「設定する運転モード」がスライド操作によって変更される例を示す。同図の操作部１１５に示す矢印１２０は、スライド操作がなされた軌跡と方向を示す。下方向になぞられているので、運転モード選択画面が示す「設定する運転モード」は、「冷房モード」よりも下方の運転モードへ変更される。軌跡の上下方向の長さが、リストの２項目分に相当するので、「設定する運転モード」は、「冷房モード」より２つ下の「除湿モード」に変更される。
【００９４】
本変形例によれば、スライド操作によって、リストから運転モードを選択することができるので、操作性を向上させることが可能になる。
【００９５】
（変形例４）
実施の形態１では、ステップＳ１０４にて、上向き領域及び下向き領域を押圧することによって「設定する運転モード」を選択し、決定領域を押圧することによって「設定する運転モード」を決定する例を説明した。
【００９６】
しかし、運転モード選択画面のように、液晶表示部１１４により提示される情報が複数の項目としての運転モードを含むリストを示す場合、図９に示すように、リストを構成する運転モードの各々を選定するための選定領域１２１〜１２４が、操作部１１５に設定されてもよい。本変形例では、同図に示すように、各運転モードの右側に対応する選定領域１２１〜１２４が設けられており、選定領域１２１〜１２４は、順に、冷房モード、暖房モード、除湿モード、おやすみモードに対応する。
【００９７】
この場合、ステップＳ１０４にて、情報変更部１１７は、操作部１１５から取得した押圧位置信号によって示される位置が選定領域１２１〜１２４のいずれかの内部であるか否かに基づいて、「設定する運転モード」が選定されたか否かを判定する。詳細には、押圧位置信号によって示される位置が選定領域１２１〜１２４内であるとき、その位置を内部に含む選定領域１２１〜１２４に対応付けられた運転モードが選定されたと判定する（ステップＳ１０４；Ｙｅｓ）。押圧位置信号によって示される位置がすべての選定領域１２１〜１２４内でないとき、運転モードが選定されていないと判定する（ステップＳ１０４；Ｎｏ）。
【００９８】
本変形例によれば、各運転モードに対応付けられた選定領域１２１〜１２４が設けられる。これにより、ユーザは、各運転モードの右側の選定領域１２１〜１２４を押圧することで所望の運転モードを選定することができる。したがって、操作性を向上させることが可能になる。
【００９９】
（変形例５）
実施の形態１では、運転モード選択画面が示すリストが１画面に収まる例を説明した。しかし、リストを構成する項目である運転モードは、液晶表示部１１４にて１つの画面に提示可能な数より多くてもよい。
【０１００】
例えば、リストが、実施の形態１と同じ「冷房モード」「暖房モード」「除湿モード」「おやすみモード」に加えて、その下に「省エネモード」を含むとする。そして、図４に示す運転モード選択画面において、液晶表示部１１４で最も下に提示されている運転モードである「おやすみモード」が「設定する運転モード」であるとする。この場合、下向き領域が押圧されると、情報変更部１１７は、下に並べられた運転モードである「省エネモード」を「設定する運転モード」とする運転モード選択画面（図１０参照）に変更させる。
【０１０１】
また例えば、液晶表示部１１４では最も上に提示されている運転モードが「設定する運転モード」である場合であって、それよりも上に並べられた運転モードをリストが含むとする。上向き領域が押圧されると、情報変更部１１７は、上に並べられた運転モードを「設定する運転モード」とする運転モード選択画面に変更させる。
【０１０２】
本変形例によれば、リストが項目としての運転モードを多数含み、液晶表示部１１４に提示されていない運転モードがある場合であっても、提示されていない運転モードを提示させて選定することが可能になる。
【０１０３】
（変形例６）
本変形例では、変形例５と同様に、リストを構成する項目である運転モードが、液晶表示部１１４にて１つの画面に提示可能な数より多い例について説明する。変形例５では、リストを項目ごとに段階的にスライド移動させて提示する例について説明した。
【０１０４】
本変形例では、図１１に示すように、リストを連続的にスライド移動させて提示する例について説明する。また、本変形例では、同図に示すように、リストを構成する運転モードの各々を選定するための選定領域１２１〜１２５が、各運転モードに対応付けて操作部１１５に設定される。
【０１０５】
例えば、操作部１１５をスライド操作した場合に、スライド操作がなされた距離と方向に応じて、情報変更部１１７は、運転モード選択画面が示すリストを連続的に変更させる。
【０１０６】
同図に示すリモコン装置１００の運転モード選択画面は、図４に示す運転モード選択画面である場合に、操作部１１５を例えば上方向になぞった結果である。図１１に示すように、「冷房モード」「暖房モード」「除湿モード」「おやすみモード」「省エネモード」のそれぞれの右側に位置する操作部１１５には、選定領域１２１〜１２５が対応付けられて設けられる。そして、選定領域１２１〜１２５は、運転モード選択画面のリストのスライド移動に合わせてスライド移動する。
【０１０７】
本変形例によれば、リストが項目としての運転モードを多数含み、液晶表示部１１４に提示されていない運転モードがある場合であっても、提示されていない運転モードをスライド操作によって容易に液晶表示部１１４に提示させることが可能になる。
【０１０８】
また、各運転モードに対応付けられた選定領域１２１〜１２５が設けられる。これにより、リストがスライド移動しても、ユーザは、各運転モードの右側の選定領域１２１〜１２５を押圧することで所望の運転モードを選定することができる。したがって、操作性を向上させることが可能になる。
【０１０９】
実施の形態２．
実施の形態１では、操作部１１５が液晶パネル１０３の外側のみに設けられる例について説明した。本実施の形態では、操作部１１５が液晶パネル１０３に一部が重なるように設けられる例について説明する。
【０１１０】
本実施の形態に係るリモコン装置２００は、図１２に示すように、物理的には、シート状部材２０５を除いて、実施の形態１に係るリモコン装置１００と同様の構成を備える。
【０１１１】
シート状部材２０５は、実施の形態１に係るシート状部材１０５と同様に、液晶ドライバ１０４の前方を覆っており、液晶パネル１０３と共通の開口を介して前方へ露出する。シート状部材２０５は、例えば抵抗膜式のタッチパネル、静電容量式のタッチパネルなどの透明な押圧位置検出機能を備えるシート状の部材（押圧位置検出シート）などから構成される。シート状部材２０５は、同図に示すように、前方から見て、液晶ドライバ１０４の前方と液晶パネル１０３の一部（詳細には、右辺部近傍の重なり合い部分２２７）の前方とを覆う縦長帯状である。
【０１１２】
液晶パネル１０３は、操作部１１５の部分領域２２８〜２３４のそれぞれに対する押圧操作に予め割り当てられる機能を、部分領域２２８〜２３４の各々の後方に位置する液晶パネル１０３の部分に表示する。詳細には、同図に示すように、液晶パネル１０３は、上向き領域２２８、決定領域２２９、対象変更領域２３０、下向き領域２３１、メイン領域２３２、モード領域２３３、選択領域２３４のそれぞれについて、液晶表示部１１４は、上向き三角、「決定」、「対象」、下向き三角、「メイン」、「モード」、左矢印を表示する。したがって、実施の形態１とは異なり、印刷、シールの貼り付けなどによる表示は不要であり、領域表示用シートも設ける必要がない。なお、部分領域２２８〜２３４の各々に割り当てられた機能は、実施の形態１で同じ名称を付した部分領域が有する機能と同じであってよい。
【０１１３】
本実施の形態では、部分領域２２８〜２３４の各々と液晶パネル１０３の表示とは、前方から見て、少なくとも一部が重なり合うことによって対応付けられている。
【０１１４】
本実施の形態に係るリモコン装置２００は、機能的には、実施の形態１に係るリモコン装置１００と同様である。ただ、操作部２１５は、本実施の形態に特徴的なシート状部材２０５などによって実現されることが異なる。
【０１１５】
本実施の形態によれば、液晶表示部１１４の一部が、操作部２１５の各領域の表示に利用される。そのため、例えば液晶表示部１１４が提示する画面の切り替えに応じて、操作部２１５の各領域の表示を切り替えることができる。このように、画面に応じて操作部２１５の各領域が変更されたとしても、ユーザは所望の操作のために、操作部２１５のどの領域を操作するとよいか視覚で容易に認識できる。したがって、操作性を向上させることが可能になる。
【０１１６】
（変形例７）
本変形例では、実施の形態２と同様の構成を備えるリモコン装置２００において、変形例６と同様に、リストを構成する項目である運転モードが、液晶表示部１１４にて１つの画面に提示可能な数より多い例について説明する。
【０１１７】
また、本変形例では、変形例６と同様に、リストを連続的にスライド移動させて提示するとともに、リストを構成する運転モードの各々を選定するための選定領域２２１〜２２５が、操作部２１５に設定される。
【０１１８】
本変形例では、リストは変形例６と同様に構成され、操作部２１５をスライド操作することによりリストが連続的にスライド移動する。したがって、図１３に示すリモコン装置２００の運転モード選択画面は、図１１に示すものと同様であって、図４に示す運転モード選択画面である場合に、操作部２１５を例えば上方向になぞった結果である。
【０１１９】
本変形例によっても、変形例６と同様の作用・効果を奏する。また、実施の形態１の変形例である変形例６では、表示１０７〜１１３は固定であるため、選定領域１２１〜１２５を示す表示を設けることは困難である。本変形例によれば、選定領域２２１〜２２５がリストのスライド移動に伴って移動する場合であっても、各選定領域２２１〜２２５がどこであるかを表示することができる。したがって、操作性を向上させることが可能になる。
【０１２０】
以上、本発明の実施の形態について説明したが、本発明は、各実施の形態に限定されるものではなく、各実施の形態及び変形例を適宜組み合わせた形態、それに種々の変更を加えた形態を含む。
【符号の説明】
【０１２１】
１００，２００  リモコン装置、１０３  液晶パネル、１０４  液晶ドライバ、１０５，２０５  シート状部材、１０７〜１１３  表示、１１４  液晶表示部、１１５，２１５  操作部、１１６  制御部、１１７  情報変更部、１１８  機器制御部、１２１〜１２５，２２１〜２２５  選定領域。
【図１】
0005881650.tif 000002
【図２】
0005881650.tif 000003
【図３】
0005881650.tif 000004
【図４】
0005881650.tif 000005
【図５】
0005881650.tif 000006
【図６】
0005881650.tif 000007
【図７】
0005881650.tif 000008
【図８】
0005881650.tif 000009
【図９】
0005881650.tif 000010
【図１０】
0005881650.tif 000011
【図１１】
0005881650.tif 000012
【図１２】
0005881650.tif 000013
【図１３】
0005881650.tif 000014